(57)【要約】【課題】ダミー負荷の駆動によって電源電圧の上昇を抑制する際に、不要な音の発生を抑制する電子機器を提供すること。【解決手段】電子機器は、トランスを有し、トランスの２次側において、制御系電装品に供給する第１電圧（３．３Ｖ）と、第１電圧より高い電圧であって複数の駆動電装品に供給する第２電圧（２４Ｖ）とを生成する電源を含む。電子機器の駆動制御部８１は、制御系電装品への第１電圧（３．３Ｖ）の供給に伴って第２電圧（２４Ｖ）の電圧値が上昇する電源電圧上昇時において、第２電圧（２４Ｖ）によって、複数の電磁コイル部品（６１，６２）を、ダミー負荷として駆動する。【選択図】図３
2011075922.tif 000002
【特許請求の範囲】
【請求項１】
複数の電磁コイル部品を含む複数の駆動系電装品と、
前記複数の駆動電装品を制御する制御系電装品と
トランスを有し、前記トランスの２次側において、前記制御系電装品に供給する第１電圧と、前記第１電圧より高い電圧であって前記複数の駆動系電装品に供給する第２電圧とを生成する電源と、
前記制御系電装品への前記第１電圧の供給に伴って前記第２電圧の電圧値が上昇する電源電圧上昇時において、前記第２電圧によって、前記複数の電磁コイル部品を、ダミー負荷として駆動する駆動制御部と、
を備えた、電子機器。
【請求項２】
請求項１に記載の電子機器において、
前記駆動制御部は、前記電源電圧上昇時において、前記複数の電磁コイル部品のうち少なくともいずれか１つをダミー負荷として駆動する、電子機器。
【請求項３】
請求項１または請求項２に記載の電子機器において、
前記駆動制御部は、当該電子機器の電源投入時において、前記複数の電磁コイル部品いずれもダミー負荷として駆動する、電子機器。
【請求項４】
請求項１から請求項３のいずれか一項に記載の電子機器において、
前記電源電圧上昇時において、前記第１電圧の供給によって、第１電力が消費される第１モードと、第１電力より多い第２電力が消費される第２モードとを備え、
前記モードに応じて、前記ダミー負荷として使用する電磁コイル部品を前記複数の電磁コイル部品の中から決定する第１決定手段をさらに備える、電子機器。
【請求項５】
請求項４に記載の電子機器において、
第１決定手段は、前記第２モード時のダミー負荷量が前記第１モード時のダミー負荷量より大きくなるように、前記ダミー負荷として使用する前記電磁コイル部品を決定する、電子機器。
【請求項６】
請求項１から請求項５のいずれか一項に記載の電子機器において、
前記駆動制御部は、前記複数の電磁コイル部品を交互に選択的にダミー負荷として駆動する、電子機器。
【請求項７】
請求項１から請求項５のいずれか一項に記載の電子機器において、
前記第２電圧の値を測定する測定手段と、
前記第２電圧の測定結果によって、ダミー負荷として駆動する電磁コイル部品を決定する第２決定手段と、をさらに備える、電子機器。
【請求項８】
請求項１から請求項７のいずれか一項に記載の電子機器において、
前記複数の駆動系電装品は画像形成に係る複数の駆動系電装品であり、
前記電子機器は、被記録媒体に画像を形成する画像形成装置であり、
前記電源電圧上昇時は、前記画像形成装置による画像形成が行われない非画像形成動作期間である、電子機器。
【請求項９】
請求項８に記載の電子機器において、
前記画像形成装置は、画像形成時に前記被記録媒体を給紙する給紙ローラと、前記給紙ローラを駆動するメインモータとを含み、
前記複数の電磁コイル部品は、前記メインモータの回転力を前記給紙ローラに伝達する給紙用の第１電磁コイル部品と、給紙以外で使用される第２電磁コイル部品とを含み、
前記駆動制御部は、前記非画像形成動作期間において前記メインモータが駆動される時、前記ダミー負荷として前記第２電磁コイル部品を駆動する、電子機器。
【発明の詳細な説明】
【技術分野】
【０００１】
本発明は電子機器に関し、詳しくは、一つの電源から値の異なる複数の電源電圧を利用する電子機器における、電源電圧の制御に関する。
【背景技術】
【０００２】
一つの電源から値の異なる複数の電源電圧を利用する電子機器の例として、特許文献１に、画像形成装置（電子機器）の各動作モードで駆動系の２４Ｖ電圧が上昇しないように、定格電圧の最も低いファンを駆動する前にモータを擬似（ダミー）負荷として駆動する技術が、開示されている。それによって、２４Ｖ電圧によって駆動されるファンへの定格以上の電圧印加が防止されている。
【先行技術文献】
【特許文献】
【０００３】
【特許文献１】特開２００７−０１１０００号公報
【発明の概要】
【発明が解決しようとする課題】
【０００４】
しかしながら、ダミー負荷としてモータを駆動するとモータの回転音が発生する。そのため、電子機器が静寂な環境に配置された場合にあっては、ユーザにその回転音が聞こえる可能性があり、モータの回転音によってユーザに不快感を与える虞があった。
【０００５】
本発明は、ダミー負荷の駆動によって電源電圧の上昇を抑制する際に、不要な音の発生を抑制する技術を提供するものである。
【課題を解決するための手段】
【０００６】
上記の技術を提供するための手段として、第１の発明に係る電子機器は、複数の電磁コイル部品を含む複数の駆動系電装品と、前記複数の駆動電装品を制御する制御系電装品と、トランスを有し、前記トランスの２次側において、前記制御系電装品に供給する第１電圧と、前記第１電圧より高い電圧であって前記複数の駆動系電装品に供給する第２電圧とを生成する電源と、前記制御系電装品への前記第１電圧の供給に伴って前記第２電圧の電圧値が上昇する電源電圧上昇時において、前記第２電圧によって、前記複数の電磁コイル部品を、ダミー負荷として駆動する駆動制御部とを備える。
【０００７】
本構成によれば、第２電圧の上昇時において複数の電磁コイル部品をダミー負荷として駆動することによって、第２電圧の上昇を好適に抑制することができる。特に、ダミー負荷としてモータ等を使用する場合と比べて、電磁コイル部品は連続的な駆動音を発生させないため、ダミー駆動時の騒音を抑制することができる。なお、ここで「電磁コイル部品」はモータを含まないものとする。
【０００８】
第２の発明は、第１の発明の電子機器において、前記駆動制御部は、前記電源電圧上昇時において、前記複数の電磁コイル部品のうち少なくともいずれか１つをダミー負荷として駆動する。  
本構成によれば、電源電圧上昇時において、複数の電磁コイル部品のうち少なくともいずれか１つがダミー負荷として継続的に駆動される。そのため、消費電力を抑止しつつ、安定的に第２電圧の上昇を抑制できる。
【０００９】
第３の発明は、第１または第２の発明の電子機器において、前記駆動制御部は、当該電子機器の電源投入時において、前記複数の電磁コイル部品いずれもダミー負荷として駆動する。  
通常、電子機器の電源投入時には、駆動系電装品への第２電圧の供給に先立って制御系電装品への第１電圧の供給が行われる蓋然性が高い。そのため、本構成によれば、電源投入時において、確実に第２電圧の上昇を抑制できる。
【００１０】
第４の発明は、第１から第３の発明のいずれか一つの電子機器において、前記電源電圧上昇時において、前記第１電圧の供給によって、第１電力が消費される第１モードと、第１電力より多い第２電力が消費される第２モードとを備え、前記モードに応じて、前記ダミー負荷として使用する電磁コイル部品を前記複数の電磁コイル部品の中から決定する第１決定手段をさらに備える。
【００１１】
本構成によれば、電源電圧上昇時における第１電圧の供給による電力消費量に応じて、ダミー負荷として使用する電磁コイル部品、あるいは使用する電磁クラッチの個数を決定することができる。すなわち、通常、第２電圧の電圧値は、第１電圧の供給による電力消費量に応じて上昇するため、第２電圧の電圧値の上昇に対応した、適正な、電磁クラッチによるダミー負荷量を決定することができる。
【００１２】
第５の発明は、第４の発明の電子機器において、第１決定手段は、前記第２モード時のダミー負荷量が前記第１モード時のダミー負荷量より大きくなるように、前記ダミー負荷として使用する前記電磁コイル部品を決定する。
【００１３】
本構成によれば、電磁コイル部品への負荷を分散させつつ、第２電圧の上昇を好適に抑制できる。この場合、例えば、第２モード時においては、使用する電磁コイル部品の個数を第１モード時より増やすこと、あるいは、第２モード時においては、第１モード時において使用する電磁コイル部品より大きな電力容量を有する電磁コイル部品を使用することが含まれる。
【００１４】
第６の発明は、第１から第５の発明のいずれか一つの電子機器において、前記駆動制御部は、前記複数の電磁コイル部品を交互に選択的にダミー負荷として駆動する。  
本構成によれば、ダミー負荷として使用される電磁コイル部品が１つの電磁コイル部品に集中させず分散させる。そのため、各電磁コイル部品を高寿命化することができる。
【００１５】
第７の発明は、第１から第５の発明のいずれか一つの電子機器において、前記第２電圧の値を測定する測定手段と、前記第２電圧の測定結果によって、ダミー負荷として駆動する電磁コイル部品を決定する第２決定手段と、をさらに備える。  
本構成によれば、第２電圧の上昇を好適に抑制するためにより最適な電磁コイル部品を駆動することができる。
【００１６】
第８の発明は、第１から第７の発明のいずれか一つの電子機器において、前記複数の駆動系電装品は画像形成に係る複数の駆動系電装品であり、前記電子機器は、被記録媒体に画像を形成する画像形成装置であり、前記電源電圧上昇時は、前記画像形成装置による画像形成が行われない非画像形成動作期間である。  
本構成によれば、画像形成装置の非画像形成動作期間において、第２電圧の上昇を好適に抑制することができる。
【００１７】
第９の発明は、第８の発明の電子機器において、前記画像形成装置は、画像形成時に前記被記録媒体を給紙する給紙ローラと、前記給紙ローラを駆動するメインモータとを含み、前記複数の電磁コイル部品は、前記メインモータの回転力を前記給紙ローラに伝達する給紙用の第１電磁コイル部品と、給紙以外で使用される第２電磁コイル部品とを含み、前記駆動制御部は、前記非画像形成動作期間において前記メインモータが駆動される時、前記ダミー負荷として前記第２電磁コイル部品を駆動する。  
本構成によれば、被記録媒体が、ガラ回し時に給紙されるのを防止しつつ、第２電圧の上昇を好適に抑制できる。
【発明の効果】
【００１８】
本発明の電子機器によれば、ダミー負荷の駆動によって電源電圧の上昇を抑制する際に、不要な音の発生を抑制することができる。
【図面の簡単な説明】
【００１９】
【図１】本発明の一実施形態であるカラープリンタの概略構成を示す側断面図
【図２】カラープリンタの電源装置の概略的な構成図
【図３】カラープリンタの電磁クラッチ駆動回路の概略的な構成図
【図４】電磁クラッチのダミー駆動制御の一例にかかるタイムチャート
【図５】電磁クラッチのダミー駆動制御の別の例にかかるタイムチャート
【図６】電磁クラッチのダミー駆動制御の別の例にかかるタイムチャート
【発明を実施するための形態】
【００２０】
＜実施形態＞
次に本発明の一実施形態について図１から図６を参照して説明する。  
１．プリンタの全体構成
最初に図１を参照してプリンタの全体構成を説明する。
【００２１】
図１は、本発明の電子機器の一例であるカラープリンタ（「画像形成装置」の一例）１の概略構成を示す側断面図である。なお、以下の説明においては、図１における右側をカラープリンタ１の前方とする。なお、画像形成装置はカラープリンタに限定されず、例えば、モノクロプリンタ、コピー機能等を備えた、いわゆる複合機等であってもよい。さらに、本発明の電子機器は画像形成装置に限定されず、例えば、オーディオ機器やビデオ機器にも適用できる。
【００２２】
カラープリンタ１は、本体ケーシング２を備えており、本体ケーシング２の底部には、用紙（「被記録媒体」の一例）３が積載される供給トレイ４が設けられている。供給トレイ４の前端上方にはピックアップローラ５、給紙ローラ７、補助給紙ローラ７ａ、およびトレイ（Ｔｒａｙ）用電磁クラッチ（「第１電磁コイル部品」および「駆動系電装品」の一例）６１が設けられている。
【００２３】
ピックアップローラ５の回転に伴って供給トレイ４内の最上位に積載された用紙３がピックアップされ、給紙ローラ７および補助給紙ローラ７ａによってレジストローラ６に送り出される。また、トレイ用電磁クラッチ６１は、後述するＣＰＵ８１により制御されるメインモータ４４から動力伝達機構（図示せず）を介してピックアップローラ５に伝達される回転動力等をオン／オフする。すなわち、トレイ用電磁クラッチ６１は、メインモータ４４の回転力をピックアップローラ５に伝達する。
【００２４】
レジストローラ６は、用紙３の斜行を補正した上でその用紙３を所定のタイミングでベルト１３上に送る。さらに、レジストローラ６の近傍には、レジストローラ６の回転をオン／オフするレジスト（Ｒｅｇｉｓｔ）用電磁クラッチ（「給紙以外で使用される第２電磁コイル部品」および「駆動系電装品」の一例）６２が設けられている。レジスト用電磁クラッチ６２は、メインモータ４４からの回転動力をレジストローラ６に伝達する。
【００２５】
また、印刷部１０は、ベルトユニット１１、プロセス部２０、定着器２８などを備えている。ベルトユニット１１は、前後一対の支持ローラ１２間に、ベルト１３を張架した構成となっており、ベルト１３が駆動されることによりベルト１３上の用紙３が後方に向けて搬送される。また、ベルト１３の内側には、後述するプロセス部２０の各感光体ドラム２６とベルト１３を挟んで対向する位置にそれぞれ転写ローラ１４が設けられている。
【００２６】
プロセス部２０は、例えば４色（イエロー、マゼンタ、シアン、ブラック）に対応した４つの現像カートリッジ２２（それぞれ２２Ｙ，２２Ｍ，２２Ｃ，２２Ｋ）を備えている。各現像カートリッジ２２には、スキャナ部１７が個別に設けられている。スキャナ部１７は、レーザ発光部（図示せず）から出射されたレーザ光Ｌを、各色毎に対応する感光体ドラム２６（それぞれ２６Ｙ，２６Ｍ，２６Ｃ，２６Ｋ）の表面にそれぞれ照射する。これにより、印刷データに基づいて感光体ドラム２６の表面が露光される。
【００２７】
各現像カートリッジ２２には、現像剤である各色のトナーを収容するトナー収容室２３、供給ローラ２４、現像ローラ２５、感光体ドラム２６、帯電器２７等がそれぞれ設けられている。
【００２８】
トナー収容室２３から放出されたトナーは、供給ローラ２４の回転により現像ローラ２５に供給され、このとき、供給ローラ２４と現像ローラ２５との間で正に摩擦帯電される。感光体ドラム２６の表面は、その回転に伴って、まず、帯電器２７により一様に正帯電された後、スキャナ部１７からのレーザ光Ｌにより露光され、用紙３に形成すべき画像に対応した静電潜像が形成される。次いで、現像ローラ２５の回転により、現像ローラ２５上のトナーが感光体ドラム２６の表面に供給され、静電潜像が可視像化される。その後、感光体ドラム２６の表面上に担持されたトナー像は、用紙３が感光体ドラム２６と転写ローラ１４との間を通過する間に、転写ローラ１４に印加される転写バイアス電圧によって、用紙３に転写される。
【００２９】
転写後の用紙３は、ベルトユニット１１によって定着器２８に搬送され、ここで用紙３上に転写されたトナー像が熱定着される。このようにして用紙３には、印刷データに基づいて印刷部１０によって印刷処理がなされる。そして、熱定着された用紙３は、メインモータ４４により回転駆動される排紙ローラ３０によって本体ケーシング２の上面に設けられた排出トレイ２９上に排出される。この場合、用紙３は、フェースダウン（用紙３のトナー像が形成された面が下側になる状態）で排出トレイ２９上に排出される。また、排紙ローラ３０の近傍には排紙用電磁クラッチ（「給紙以外で使用される第２電磁コイル部品」および「駆動系電装品」の一例）６３が設けられており、排紙用電磁クラッチ６３のオン／オフによって、排紙ローラ３０の正回転および逆回転が切替えられる。
【００３０】
また、本体ケーシング２内の下部には、ベルト１３と供給トレイ４との間に位置して、両面印刷のための再搬送路５１が設けられている。両面印刷時には、トナー像が熱定着された用紙３は、排紙ローラ３０が逆回転されることによって、再搬送路５１を通って給紙側に搬送される。また、本体ケーシング２の前面は、現像カートリッジ２２等にアクセスするためのアクセス口とされ、そこには、カバー９が回動操作可能に設置されている。
【００３１】
２．電源装置の構成
次に、図２の回路ブロック図を参照して、カラープリンタ１の電源装置７０に係る回路構成について説明する。電源装置（「電源」の一例）７０は、トランスＴ１を有し、トランスＴ１の２次側において、ＣＰＵ等の制御系電装品に供給するＤＣ３．３Ｖ電圧あるいはＤＣ５．０Ｖ電圧（「第１電圧」の一例）と、第１電圧より高い電圧であって複数の駆動系電装品に供給するＤＣ２４Ｖ電圧（「第２電圧」の一例）とを生成する。
【００３２】
詳しくは、電源装置７０は、図２に示されるように、ダイオードブリッジからなる整流回路７１および平滑コンデンサＣ１を含む。整流回路７１および平滑コンデンサＣ１は、ＡＣ入力、例えば、ＡＣ１００Ｖを整流する。
【００３３】
電源装置７０は、いわゆるＲＣＣ（リンギング・チョーク・コンバータ）でる変換部を含む。変換部は、通常の、コンバータトランス（本発明における「トランス」に相当）Ｔ１、スイッチングトランジスタＱ１、一次側制御回路７２等を含む。
【００３４】
電源装置７０は、また、コンバータトランスＴ１の２次側において、ダイオードＤ１およびコンデンサＣ２を含む。ダイオードＤ１およびコンデンサＣ２は、コンバータトランスＴ１の２次側の電圧を整流して、ここでは、ＤＣ２４Ｖ電圧を生成し、ＤＣ２４Ｖ電圧を、電磁クラッチ（６１，６２，６３）等の高圧の直流を必要とする複数の駆動系電装品に出力する。
【００３５】
電源装置７０は、また、コンバータトランスＴ１の２次側において、コンバータトランスＴ１の２次側巻き線の中間タップに接続されたダイオードＤ２、コンデンサＣ３およびＤＣ−ＤＣコンバータ７３を含む。ダイオードＤ２およびコンデンサＣ３は、コンバータトランスＴ１の２次側の中間タップの電圧を整流して、所定のＤＣ電圧を生成する。ＤＣ−ＤＣコンバータ７３は、所定のＤＣ電圧を変換して、ここではＤＣ３．３Ｖ電圧（「第１電圧」の一例）を生成し、ＤＣ３．３Ｖ電圧を、低圧の直流で動作する制御系電装品、例えば、後述するＣＰＵ８１に供給する。
【００３６】
すなわち、電源装置７０は、トランスＴ１を有し、トランスＴ１の２次側において、制御系電装品に供給するＤＣ３．３Ｖ電圧（第１電圧）と、第１電圧より高い電圧であって複数の駆動系電装品に供給するＤＣ２４Ｖ電圧（第２電圧）とを生成する。
【００３７】
３．電磁クラッチ駆動回路の構成
次に、図３の回路ブロック図を参照して、電磁クラッチ駆動に係る回路構成について説明する。電磁クラッチ駆動回路８０は、ＣＰＵ（「駆動制御部」の一例）８１、電圧検出回路８２、駆動トランジスタＴｒ１，Ｔｒ２、保護ダイオードＤ３，Ｄ４を含む。なお、駆動制御部はＣＰＵ８１に限られず、例えば、ＡＳＩＣ（特定用途向けＩＣ）であってもよい。
【００３８】
ＣＰＵ８１は、制御系電装品へのＤＣ３．３Ｖ電圧の供給に伴ってＤＣ２４Ｖ電圧（第２電圧）の値が上昇する電源電圧上昇時において、ＤＣ２４Ｖによって、複数の電磁クラッチ（複数の電磁コイル部品）を、ダミー負荷として駆動する。本実施形態においては、ＣＰＵ８１は、電磁クラッチが通常動作しないように、すなわち、クラッチ動作をしないように、定格電流未満（以下「ダミー電流」という）において駆動する。これは、ＤＣ３．３Ｖ電圧を使用する負荷の消費電力の増加によるＤＣ２４Ｖ電圧の跳ね上がりを抑制しつつ、電磁クラッチの動作音の発生を抑制するためである。なお、これに限られず、電磁コイル部品をダミー負荷として駆動する際の動作音レベルが小さい場合等は、定格電流以上で電磁コイル部品をダミー負荷として駆動してもよい。
【００３９】
ここでは、ダミー負荷の複数の電磁クラッチとして、図３に示されるように、例えば、トレイ用電磁クラッチ６１およびレジスト用電磁クラッチ６２が利用される。トレイ用電磁クラッチ６１は電磁コイルＬ１を含み、電磁コイルＬ１は抵抗成分Ｒ１を含む。同様に、レジスト用電磁クラッチ６２は、電磁コイルＬ２を含み、電磁コイルＬ２は抵抗成分Ｒ２を含む。なお、ダミー負荷として使用される電磁コイル部品はこれに限られない。例えば、さらに、排紙用電磁クラッチ６３を使用してもよい。
【００４０】
ＣＰＵ８１は、トレイ用電磁クラッチ駆動信号Tray_ONによって駆動トランジスタＴｒ１をＯＮしてトレイ用電磁クラッチ６１を駆動する。また、ＣＰＵ８１は、レジスト用電磁クラッチ駆動信号Regist_ONによって駆動トランジスタＴｒ２をＯＮしてレジスト用電磁クラッチ６２を駆動する。その際、各駆動信号Tray_ON，Regist_ONの信号レベルは、各電磁クラッチ６１，６２が通常動作しないような大きさを有する。すなわち、各電磁コイルＬ１，Ｌ２に定格電流未満のダミー電流が流れるように、各駆動信号Tray_ON，Regist_ONによって、各駆動トランジスタＴｒ１，Ｔｒ２が制御される。
【００４１】
これは、上記したように、各電磁クラッチ６１，６２の通常動作時に発生する機械音（電磁石によるクラッチ部の結合音）が、ダミー駆動時に発生することを防止するためである。すなわち、ダミー駆動時の騒音発生を防止するためである。  
なお、ＣＰＵ８１は、電磁クラッチ６１，６２の駆動制御の他に、カラープリンタ１の画像形成に係る各種動作制御を行う。例えば、ＣＰＵ８１は、画像形成に係る各処理が行われる際に、各処理に適合したタイミングにおいて、メインモータ４４を駆動する。メインモータ４４の回転動力は、所定の動力伝達機構（図示せず）を介して、ピックアップローラ５およびレジストローラ６等の各種回転部材に伝達される。
【００４２】
４．ダミー負荷の駆動制御
次に、図４から図６を参照して、カラープリンタ１の動作モードに応じたダミー負荷（電磁クラッチ）の駆動制御について説明する。なお、ここでは、カラープリンタ１は、ディープスリープモード（以下、D_Sleepモードと記す）、ライトスリープモード（以下、L_Sleepモードと記す）、待機モードおよびガラ回しモードを有すとする。スリープモード、待機モードおよびガラ回しモードでは、カラープリンタ１による画像形成動作は行われない。すなわち、スリープモード、待機モードおよびガラ回しモードは、本発明の「非画像形成動作期間」に相当する。
【００４３】
なお、ここでD_Sleepモードとは、ユーザからのカラープリンタ１への指示やパーソナルコンピュータ等の外部装置からの印刷要求等が長時間無い場合、L_Sleepモードから移行するモードである。D_Sleepモードでは、カラープリンタ１をウェイクアップ（起動）させるための制御系電装品のみが動作状態にある。なお、D_Sleepモードにおいては、ＤＣ２４Ｖ電圧が跳ね上がるようなＤＣ３．３Ｖ電圧の使用はないため、ダミー負荷の駆動は行われない。
【００４４】
L_Sleepモード（「第１モード」に相当）とは、カラープリンタ１へのユーザ操作や印刷要求等が所定時間ない場合に、余熱していた定着器２８をＯＦＦすることにより、待機モードから移行するモードである。なお、L_SleepモードＣＰＵ８１およびその冷却ファン等は動作状態にある。
【００４５】
待機モード（「第２モード」に相当）とは、カラープリンタ１がユーザからの印字待ちの状態であり、待機モードにおいて、ＣＰＵ８１等の制御系電装品は動作状態にある。また、定着器２８は一定温度に余熱される。すなわち、待機モードでは、L_Sleepモードでの消費電力（第１電力に相当）よりも大きい電力（第２電力に相当）が消費される。
【００４６】
ガラ回しモードでは、現像カートリッジ２２の装着後、カバー９が閉じられたことをＣＰＵ８１が検出すると、ＣＰＵ８１の制御により、ウォーミングアップ動作が開始され、メインモータ４４が駆動され現像カートリッジ２２内のアジテータ（図示せず）が回転される。すなわち、ガラ回しモードでは、ＣＰＵ８１、冷却ファン、定着器２８およびメインモータ４４は、動作状態にある。
【００４７】
実施例１．（動作モードによるダミー負荷量の可変）
図４は、動作モードに対応して駆動される電磁クラッチを示すタイムチャートである。図４に示すように、D_Sleepモードでは、駆動信号Tray_ONおよびRegist_ONはゼロレベルで、トレイ用電磁クラッチ６１およびのレジスト用電磁クラッチ６２は、ともにダミー駆動されない。D_Sleepモードでは、ＤＣ３．３Ｖ電圧による消費電力が少なく、ＤＣ２４Ｖ電圧の跳ね上がり（上昇）がないからである。
【００４８】
時刻ｔ１でモードがD_SleepモードからL_Sleepモードに変更されると、ＣＰＵ８１は、レジスト用電磁クラッチ６２をダミー駆動するための駆動信号Regist_ONを生成し、駆動信号Regist_ONを駆動トランジスタＴｒ２に供給する。レジスト用電磁クラッチ６２は駆動トランジスタＴｒ２によってダミー駆動される。
【００４９】
次いで、時刻ｔ２でモードがL_Sleepモードから待機モードに変更されると、さらに、ＣＰＵ８１は、トレイ用電磁クラッチ６１をダミー駆動するための駆動信号Tray_ONを生成し、駆動信号Tray_ONを駆動トランジスタＴｒ１に供給する。トレイ用電磁クラッチ６１も駆動トランジスタＴｒ１によってダミー駆動される。
【００５０】
このように、ここで、ＣＰＵ８１は、電源電圧上昇時（L_Sleepモード時、および待機モード時）において複数の電磁クラッチ（電磁コイル部品）６１，６２のうち少なくともいずれか１つをダミー負荷として駆動する。すなわち、電源電圧上昇時において、複数の電磁コイル部品のうち少なくともいずれか１つがダミー負荷として継続的に駆動される。そのため、消費電力を抑止しつつ、安定的に２４Ｖ電圧（第２電圧）の上昇を抑制できる。なお、ここで、トレイ用電磁クラッチ６１とレジスト用電磁クラッチ６２との駆動順序は任意である。
【００５１】
また、ここで、ＣＰＵ（「第１決定手段」の一例）８１は、モードに応じて、ダミー負荷として使用する電磁クラッチ（電磁コイル部品）を複数の電磁クラッチ６１，６２の中から決定する。そのため、電源電圧上昇時における３．３Ｖ電圧（第１電圧）の供給による電力消費量に応じて、ダミー負荷として使用する電磁クラッチ、あるいは使用する電磁クラッチの個数を決定することができる。すなわち、通常、ＤＣ２４Ｖ電圧（第２電圧）の電圧値は、ＤＣ３．３Ｖ電圧（第１電圧）の供給による電力消費量に応じて上昇するため、ＤＣ２４Ｖ電圧の電圧値の上昇に対応した、適正な、電磁クラッチによるダミー負荷量を決定することができる。
【００５２】
また、ここで、ＣＰＵ８１は、待機モード時（第２モード時）のダミー負荷量がL_Sleepモード（第１モード時）のダミー負荷量より大きくなるように、ダミー負荷として使用する電磁クラッチを決定する。そのため、電磁クラッチへの負荷を分散させつつ、２４Ｖ電圧（第２電圧）の上昇を好適に抑制できる。なお、ここでは、ダミー負荷量を大きくするために、待機モード時においては、使用する電磁クラッチ（電磁コイル部品）の個数をL_Sleepモードより増やす例を示したが、これに限られない。これに替えて、使用する電磁クラッチの個数は変更せずに、待機モード時においては、L_Sleepモードにおいて使用する電磁クラッチ（電磁コイル部品）より大きな電力容量を有する電磁クラッチを代わりに使用するようにしてもよい。
【００５３】
実施例２．（同一動作モード内におけるダミー負荷の切替え）
図５は、複数の電磁クラッチが切替えて使用される場合を示すタイムチャートである。図５では、L_Sleepモード（同一動作モード）において、トレイ用電磁クラッチ６１とレジスト用電磁クラッチ６２とが交互に切替えて駆動される例が示される。
【００５４】
すなわち、ＣＰＵ８１は、図５の時刻ｔ３〜ｔ４、および時刻ｔ５〜ｔ６においてレジスト用電磁クラッチ６２をダミー駆動し、図５の時刻ｔ４〜ｔ５、および時刻ｔ６以降においてトレイ用電磁クラッチ６１をダミー駆動する。
【００５５】
このように、ＣＰＵ８１は、複数の電磁クラッチ（電磁コイル部品）を交互に選択的に駆動する。そのため、ダミー負荷として使用される電磁クラッチが１つの電磁クラッチに集中させず分散させる。そのため、各電磁クラッチ６１，６２を高寿命化することができる。
【００５６】
なお、複数の電磁クラッチ（電磁コイル部品）を交互に選択的に駆動する際に、各電磁コイル部品の消費電力量の差が所定値以下となるように、複数の磁コイル部品を切替えて駆動するようにしてもよい。この場合、各電磁コイル部品の消費電力量の差を小さくすることによって、より確実に各電磁コイル部品の高寿命化を図ることができる。
【００５７】
また、L_Sleepモードに限られず、待機モードにおいて、トレイ用電磁クラッチ６１とレジスト用電磁クラッチ６２とが交互に切替えて駆動されるようにしてもよい。また、トレイ用電磁クラッチ６１とレジスト用電磁クラッチ６２とを切替える際に、両クラッチ６１，６２がＯＦＦとなる期間があってもよいし、両クラッチ６１，６２がＯＮとなる期間があってもよい。
【００５８】
実施例３．（ガラ回しモード時のダミー負荷制御）
図６は、ガラ回し時のダミー負荷制御に係るタイムチャートである。  
待機モードである図６の時刻ｔ７において印字指令がされたとすると、ＣＰＵ８１は、例えば、ダミー負荷をトレイ用電磁クラッチ６１からレジスト用電磁クラッチ６２に切替える。時刻ｔ８において待機モードからガラ回しモードに変わり、時刻ｔ８から所定時間後の時刻ｔ９にメインモータ４４の駆動が開始される。
【００５９】
このように、ＣＰＵ８１は、カラープリンタ１の非画像形成動作期間にメインモータ４４が駆動される場合において、すなわち、上記ガラ回しモード時において、ダミー負荷としてレジスト用電磁クラッチ（第２電磁コイル部品）６２を駆動する。そのため、ガラ回し時のメインモータ４４の駆動時において、トレイ用電磁クラッチ６１の駆動により用紙３がピックアップローラ５によって給紙されてしまうことを防止しつつ、ＤＣ２４Ｖ電圧（第２電圧）の上昇を好適に抑制することができる。
【００６０】
５．実施形態の効果
ＤＣ３．３Ｖ電圧（第１電圧）負荷の電力消費の影響による、ＤＣ２４Ｖ電圧（第２電圧）に上昇時において、複数の電磁クラッチ（電磁コイル部品）６１，６２をダミー負荷として駆動することによって、ＤＣ２４Ｖ電圧の上昇を好適に抑制することができる。特に、ダミー負荷としてモータ等を使用する場合と比べて、ダミー駆動時の騒音を抑制することができる。
【００６１】
＜他の実施形態＞
本発明は上記記述及び図面によって説明した実施形態に限定されるものではなく、例えば次のような実施形態も本発明の技術的範囲に含まれる。
【００６２】
（１）上記実施形態において、ダミー駆動する電磁コイル部品として電磁クラッチを使用する例を示したが、これに限られない。例えば、電磁コイル部品は、ソレノイドコイル単体であってもよいし、ソレノイドスイッチ、あるいは電磁リレーであってもよい。要は、電磁コイルを含む部品であればよい。ただし、ここで「電磁コイル部品」にモータは含まないものとする。
【００６３】
（２）上記実施形態において、ＣＰＵ（駆動制御部）８１は、カラープリンタ（電子機器）１の電源投入時において、複数の（電磁コイル部品）いずれもダミー負荷として駆動するようにしてもよい。なお、ここで、「電源投入時」とは、カラープリンタ１の電源投入時刻から、機器制御ソフトが起動するまでの期間である。通常、カラープリンタ１の電源投入時には、駆動系電装品へのＤＣ２４Ｖ電圧（第２電圧）の供給に先立って制御系電装品へのＤＣ３．３Ｖ電圧（第１電圧）の供給が行われる蓋然性が高い。そのため、電源投入時において、確実にＤＣ２４Ｖ電圧の上昇を抑制できる。
【００６４】
（３）上記実施形態において、ＣＰＵ（「第２決定手段」の一例）８１は、電圧検出回路（「測定手段」に相当）８２（図３参照）によるＤＣ２４Ｖ電圧（第２電圧）の検出（測定）結果によって、ダミー負荷として駆動する電磁クラッチ（電磁コイル部品）を決定するようにしてもよい。この場合、ＤＣ２４Ｖ電圧（第２電圧）の上昇度に応じて、第２電圧の上昇を好適に抑制するためにより最適な電磁コイル部品をダミー駆動することができる。
（４）上記実施形態において、復帰時間を早めるために、D_Sleepモードから、L_Sleepモードを介さずに待機モードに移行する場合、両電磁クラッチ６１，６２をＯＦＦから両クラッチ６１，６２をＯＮにするようにしてもよい。また、待機モードからL_Sleepモードに移行するときには、両クラッチ６１，６２をＯＮからトレイ用クラッチ６１をＯＦＦ（レジスト用クラッチ６２はＯＮのまま）にしたりしてもよい。
【符号の説明】
【００６５】
１…カラープリンタ
３…用紙
４４…メインモータ
６１…排紙ローラ用電磁クラッチ
６２…レジストローラ用電磁クラッチ
８１…ＣＰＵ
８２…電圧検出回路
【図１】
2011075922.tif 000003
【図２】
2011075922.tif 000004
【図３】
2011075922.tif 000005
【図４】
2011075922.tif 000006
【図５】
2011075922.tif 000007
【図６】
2011075922.tif 000008